(57)【要約】【課題】医用画像診断装置のコンソールにおいて、再構成基板とその再構成基板に電力を供給する電源との間を、ノイズを抑制し、かつ簡易に接続する。【解決手段】医用画像診断装置のコンソールにおいて、再構成基板を装着するバックプレーンと、再構成基板を収容する基板シャーシとをトレイ上に載置し、かつ当該トレイはキャスタにより引き出し可能とするとともに電源基板を内蔵する。【選択図】図３
2010051449.tif 000002
【特許請求の範囲】
【請求項１】
棚を有する医用画像診断装置用コンソールであって、
前記棚から引き出し可能な略平板状のトレイと、
前記トレイの底面に設けられ、床面に接地して該トレイの引き出し方向における先端を移動可能に支持するキャスタと、
前記トレイに内蔵され、医用画像の再構成に用いる再構成基板へ電力を供給するための電源基板と、
前記トレイ上で該トレイの上面と略平行に配置され、前記電源基板と接続され、かつ該トレイの上面と対向する一面の反対側となる他面において該再構成基板の一端と接続されるコネクタを有し、該コネクタを介して電力を供給するバックプレーン基板と、
を備えた医用画像診断装置用コンソール。
【請求項２】
上面が開口しており、該開口から複数の前記再構成基板が収容され、かつ前記バックプレーン基板および前記トレイ上に載置されて該トレイとともに引き出し可能にされた枠体と、
前記枠体において前記トレイが引き出される方向側である前面に吸気孔が形成され、該前面の反対側である背面において、該枠体の排気を行う排気ファンを備えたこと、
を特徴とする請求項１に記載の医用画像診断装置用コンソール。
【請求項３】
棚を有し、該棚の１つに医用画像の再構成に用いる再構成基板が収容された医用画像診断装置用コンソールであって、
底面においてキャスタを有するとともに、内部において前記再構成基板へ電力を供給する電源回路が形成された電源基板を有し、かつ前記棚から引き出し可能にされたトレイと、
上面が開口し、複数の前記再構成基板が区切られて収容され、かつ前記トレイ上に載置されて該トレイとともに引き出し可能にされた枠体と、
前記電源基板と接続され、かつ上面に該再構成基板の一端と接続されるコネクタが設けられたバックプレーン基板と、
を備えたこと、
を特徴とする医用画像診断装置用コンソール。
【請求項４】
前記トレイが前記コンソールの前記棚から引き出されておらず、前記棚に収納されている状態において、該棚における前記引き出し方向側の前面と、該トレイにおける前記引き出し方向と反対側となる背面とが接触する接触部分において、柔軟性のある電磁波遮蔽部材を備えたこと、
を特徴とする請求項１に記載の医用画像診断装置用コンソール。
【請求項５】
被検体の体内組織のデータを収集する収集手段を有するガントリと、該被検体が横臥しガントリ方向へ移動可能な天板が形成された寝台と、棚を有するコンソールとを有するＸ線ＣＴ装置であって、
前記棚から引き出し可能な略平板状のトレイと、
前記トレイの底面に設けられ、床面に接地して該トレイの引き出し方向における先端を移動可能に支持するキャスタと、
前記トレイに内蔵され、医用画像の再構成に用いる再構成基板へ電力を供給するための電源基板と、
上面が開口し、複数の前記再構成基板が区切られて収容され、かつ前記トレイ上に載置されて該トレイとともに引き出し可能にされた枠体と、
前記トレイ上で該トレイの上面と略平行に配置され、前記電源基板と接続され、かつ該トレイの上面と対向する一面の反対側となる他面において該再構成基板の一端と接続されるコネクタを有し、該コネクタを介して電力を供給するバックプレーン基板と、を有すること、
を特徴とするＸ線ＣＴ装置。
【発明の詳細な説明】
【技術分野】
【０００１】
本発明は、医用画像診断装置の技術に関し、特に、医用画像診断装置に用いる基板を収納し、引き出し可能にされた収容部を備えたコンソールの技術に関する。
【背景技術】
【０００２】
医用画像診断装置は、被検体内の組織の情報を透視画像、断層画像、血流等に画像化し、検査・診断を行うための装置である。この医用画像診断装置には、Ｘ線診断装置、Ｘ線ＣＴ（Ｃｏｍｐｕｔｅｄ  Ｔｏｍｏｇｒａｐｈｙ：Ｘ線コンピュータトモグラフィ）装置、ＭＲＩ（Ｍａｇｎｅｔｉｃ  Ｒｅｓｏｎａｎｃｅ  Ｉｍａｇｉｎｇ：磁気共鳴イメージング）装置、超音波診断装置（Ｕｌｔｒａｓｏｎｉｃ  ｄｉａｇｎｏｓｔｉｃ  ｅｑｕｉｐｍｅｎｔ）、ＮＭ（Ｎｕｃｌｅａｒ  Ｍｅｄｉｃｉｎｅ：核医学）等さまざまな医用画像診断のモダリティが存在する。
【０００３】
検査者はこれらの医用画像診断装置によって被検体の検査を行う。当該検査により医用画像診断装置は当該被検体内の組織情報を得て、画像データを構成し、動画または静止画として画像化し医用画像を生成する。医師等はこの医用画像を閲覧して、被検体の診断・検査、例えば疾患の検査・診断が行われる。また、検査者は当該医用画像を閲覧して検査報告を行う。
【０００４】
これらの医用画像診断装置はモダリティごとにさまざまな装置構成が採られている。例えば、Ｘ線ＣＴ装置においては概ね、ガントリ、天板を供えた寝台、コンソールによって構成されている。このコンソールは制御基板・再構成基板が収納された収納装置（以下、「コンソールキャビネット」という。）、操作手段等を備えている。すなわち、ユーザの操作に応じ、寝台において移動可能にされた天板の上に横臥した被検体を、当該天板の水平移動によりガントリ内に搬送する。ガントリは、ガントリ内に搬送された被検体に対しＸ線を照射し、当該被検体を透過してきたＸ線の量を多方向で計測する。コンソールキャビネットに収納された再構成基板は、ガントリにおいて計測した計測結果から画像を再構成する回路を有し、被検体の断層画像を生成する。
【０００５】
ここで図８および図９を用いて従来のコンソールキャビネットについて説明する。図８は、従来のコンソールキャビネットを示す概略斜視図である。図９は、従来のコンソールキャビネットを示す概略側面図である。
【０００６】
図８に示すように、従来このコンソールキャビネット２００は、電源部２１０と基板シャーシ２２１を備えている。電源部２１０は商用電源を変圧し、整流し、直流電圧に変換する。そして基板シャーシ２２１に収容された再構成基板２２３に電力を供給する。また基板シャーシ２２１は、再構成基板２２３を装着するバックプレーン基板（いわゆるマザーボード）２２５を備えている。また、図９に示すようにコンソールキャビネット２００の基板シャーシ２２１には、コンソールキャビネット２００の前面方向から、Ｘ線ＣＴ装置の制御を行う基板、特にガントリから得た投影データの再構成を行う再構成基板２２３が収容される。
【０００７】
またコンソールキャビネット２００は、図９に示すように、再構成基板２２３を収容する基板シャーシ２２１の上面に基板冷却用ファン２２４を備えている。基板冷却用ファン２２４は、基板シャーシ２２１内部の排気を行い、再構成基板２２３の過度の温度上昇を防いでいる。また、図９に示すように、基板シャーシ２２１の背面側（上記前面側の反対側の面）には、再構成基板２２３が嵌合され取り付けられるバックプレーン基板２２５が設けられている。すなわち、バックプレーン基板２２５に再構成基板２２３が取り付けられることにより電気的に接続され、基板シャーシ２２１の枠体２２２に再構成基板２２３が収容され、保持される。
【０００８】
このバックプレーン基板２２５と電源部２１０とは、ケーブルによって接続される。つまり、電源部２１０に接続されたケーブルは、コンソールキャビネット２００の内部を通され、基板シャーシ２２１の背面に設けられたバックプレーン基板２２５に接続される。また、電源部２１０から供給された電力は、バックプレーン基板２２５を介して、再構成基板２２３に供給される。
【０００９】
また、図９に示すようにコンソールキャビネット２００における上記前面および背面と直交する左右両側面の内側には、固定スライドレール２２６ａが設けられている。この左右の固定スライドレール２２６ａそれぞれは、コンソールキャビネット２００の左右両側面の内側の面に固定される。固定スライドレール２２６ａと対になる可動スライドレール２２６ｂは、基板シャーシ２２１の左右両側面の外側の面に固定される。
【００１０】
この可動スライドレール２２６ｂは、固定スライドレール２２６ａに対し摺動可能に係合する。すなわち、基板シャーシ２２１は固定スライドレール２２６ａおよび可動スライドレール２２６ｂを介して、コンソールキャビネット２００に対しスライド可能に支持されている（図８）。
【００１１】
したがって、ユーザがコンソールキャビネット２００の基板シャーシ２２１に再構成基板２２３を収容する際に、また、基板シャーシ２２１から再構成基板２２３を取り外す際に、ユーザが基板シャーシ２２１をコンソールキャビネット２００の前方に引き出すと、当該基板シャーシ２２１がこれらスライドレールにガイドされて引き出される。
【００１２】
しかし近年、Ｘ線ＣＴ装置においてはＸ線検出器を多数配列し、１回のスキャンで多数のデータを収集可能とするＸ線ＣＴ装置が用いられている。このようなＸ線ＣＴ装置においては１回のスキャンで多数のデータが収集されるので、これらのデータを処理する再構成基板２２３の数も多数となる。
【００１３】
このようにコンソールキャビネット２００に収容される再構成基板２２３の数が多くなると、再構成基板２２３を収容する基板シャーシ２２１の重量が増加する。ユーザは、再構成基板２２３の出し入れ（脱着）や、コンソールキャビネット２００のメンテナンスのために、コンソールキャビネット２００から基板シャーシ２２１を引き出す。このときユーザにより前方へ引き出された基板シャーシ２２１の重量により、コンソールキャビネット２００のバランスが崩れないようにする必要がある。
【００１４】
すなわち、コンソールキャビネット２００の重量に対して、基板シャーシ２２１の重量が重くなればなるほど、基板シャーシ２２１が引き出されたときにコンソールキャビネット２００はバランスを崩す。また場合によってコンソールキャビネット２００は、転倒してしまうおそれがある。
【００１５】
また同様に、基板シャーシ２２１がコンソールキャビネット２００を前下方に傾倒させるにつれて、可動スライドレール２２６ｂが固定スライドレール２２６ａに対して摺動し難くなる。つまりユーザが基板シャーシ２２１を引き出すために必要な力が大きくなってしまう。
【００１６】
この点、特許文献１に記載のプリンタにおいては、キャビネットにプリンタを載置するトレイを設け、そのトレイの下面にキャスタを設けている。これによって、ユーザがキャビネットから、プリンタを引き出した際に、トレイのキャスタがトレイを支持し、プリンタの重量によりキャビネットのバランスが崩れるのを防止する。
【００１７】
【特許文献１】特開２００６−１９８９５３号公報
【発明の開示】
【発明が解決しようとする課題】
【００１８】
上記説明したコンソールキャビネット２００における、電源部２１０と基板シャーシ２２１とを接続するケーブルは長くなりノイズを発生しやすくなっている。また、当該ケーブルはノイズを受けやすくなっている。このノイズは、コンソールキャビネット２００の他の機器の障害となるおそれがある。Ｘ線ＣＴ装置においては断層画像の再構成や生成に影響してしまうおそれがある。
【００１９】
また、図８に示すような従来のコンソールキャビネット２００においては、基板シャーシ２２１を引き出すと、基板シャーシ２２１がコンソールキャビネット２００に固定された電源部２１０に対して離隔する。したがって、再構成基板２２３に電力を供給するケーブルは、基板シャーシ２２１が最大限引き出された状態においても、基板シャーシ２２１のバックプレーン基板２２５と電源部２１０とを接続可能とするような長さを有することが必要である。
【００２０】
しかし、当該ケーブルの長さを長くすれば長くするほど、ケーブルはノイズを発生し、またノイズを受けやすくなってしまう。このノイズに対しては、ノイズ対策をされたケーブルを用いて対処していた。しかし、ノイズ対策をされたケーブルは径が太くなってしまうという問題がある。
【００２１】
また、医用画像診断装置のコンソールにおける再構成基板２２３は多量の電力を消費する。よってノイズ対策をする前であっても、ケーブルの径は大きいのが一般的である。また、上述のように近年、再構成基板２２３の数が増加しているので、再構成基板２２３に要する電力も増加している。その結果、電源部２１０と基板シャーシ２２１を接続するケーブルの本数も増加する。
【００２２】
したがって、電源部２１０とバックプレーン基板２２５との接続にノイズ対策をされたケーブルを用いると、ケーブルの本数が多数であり、かつ径が太い上に、ある程度の長さを必要とするので、接続自体が困難となってしまう。つまり、当該ケーブルのノイズ対策は困難となっている。
【００２３】
また、基板シャーシ２２１がコンソールキャビネット２００に収容された状態においても、その内部に当該ケーブルを収容できるスペースを確保しなければならない。つまり、そのスペース分だけコンソールキャビネットが大型化してしまう。さらに、基板シャーシ２２１がコンソールキャビネット２００に収容された状態において当該ケーブルが相互に絡まないように引き回し方を工夫しなければならない。
【００２４】
この点、特許文献１に記載のプリンタでは、当該プリンタ本体にケーブルの吊り下げ部を設けケーブルを収容させる機構となっている。当該プリンタの電源ケーブルは、プリンタが引き出されるのに応じた長さを必要とする。また、特許文献１においては電源と接続されるケーブルについての言及がなく、上記の問題が解決されない。
【００２５】
本発明は上記の問題に鑑みてなされたものであり、その目的は、医用画像診断装置のコンソールにおいて、再構成基板とその再構成基板に電力を供給する電源との間を、ノイズを抑制し、かつ簡易に接続することにある。より詳しくは、再構成基板と電源とを接続するケーブルの長さを短くすることにある。
【課題を解決するための手段】
【００２６】
上記の課題を解決するために、本発明は、棚を有する医用画像診断装置用コンソールであって、前記棚から引き出し可能な略平板状のトレイと、前記トレイの底面に設けられ、床面に接地して該トレイの引き出し方向における先端を移動可能に支持するキャスタと、前記トレイに内蔵され、医用画像の再構成に用いる再構成基板へ電力を供給するための電源基板と、前記トレイ上で該トレイの上面と略平行に配置され、前記電源基板と接続され、かつ該トレイの上面と対向する一面の反対側となる他面において該再構成基板の一端と接続されるコネクタを有し、該コネクタを介して電力を供給するバックプレーン基板と、を備えた医用画像診断装置用コンソールである。
また、上記の課題を解決するために本発明は、棚を有し、該棚の１つに医用画像の再構成に供する再構成基板が収容された医用画像診断装置用コンソールであって、底面においてキャスタを有するとともに、内部において前記再構成基板へ電力を供給する電源回路が形成された電源基板を有し、かつ前記棚の最下段から引き出し可能にされたトレイと、上面が開口し、複数の前記再構成基板が区切られて収容され、かつ前記トレイ上に載置されて該トレイとともに引き出し可能にされた枠体と、前記電源基板と接続され、かつ上面に該再構成基板の一端と接続されるコネクタが設けられたバックプレーン基板と、を備えたこと、を特徴とする医用画像診断装置用コンソールである。
また、上記の課題を解決するために本発明は、被検体の体内組織のデータを収集する収集手段を有するガントリと、該被検体が横臥しガントリ方向へ移動可能な天板が形成された寝台と、棚を有するコンソールとを有するＸ線ＣＴ装置であって、前記棚から引き出し可能な略平板状のトレイと、前記トレイの底面に設けられ、床面に接地して該トレイの引き出し方向における先端を移動可能に支持するキャスタと、前記トレイに内蔵され、医用画像の再構成に供する再構成基板へ電力を供給するための電源基板と、上面が開口し、複数の前記再構成基板が区切られて収容され、かつ前記トレイ上に載置されて該トレイとともに引き出し可能にされた枠体と、前記トレイ上で該トレイの上面と略平行に配置され、前記電源基板と接続され、かつ該トレイの上面と対向する一面の反対側となる他面において該再構成基板の一端と接続されるコネクタを有し、該コネクタを介して電力を供給するバックプレーン基板と、を有すること、を特徴とするＸ線ＣＴ装置である。
【発明の効果】
【００２７】
本発明によれば、Ｘ線ＣＴ装置を含む医用画像診断装置の再構成基板が、コンソールのトレイ上に配置されたバックプレーン基板を介して、トレイに内蔵された電源基板と接続されている。また、再構成基板と電源基板とがバックプレーン基板を介して隣接している。したがって、トレイがコンソールの棚から引き出されても再構成基板と電源基板との距離が変わらず隣接しているので、ケーブルの長さを極力短くすることができる。ケーブル長を短くすることによって、当該ケーブルによるノイズを簡易に抑制することが可能となる。
【発明を実施するための最良の形態】
【００２８】
以下、本発明の実施形態の一例として、本発明をＸ線ＣＴ装置に適用した場合について図１〜図７を参照して説明する。
【００２９】
（全体構成）
この発明の実施形態にかかるＸ線ＣＴ装置の構成について、図１を参照して説明する。図１は、この発明の実施形態にかかるＸ線ＣＴ装置の概略構成を示す外観図である。
【００３０】
図１に示すように、この実施形態にかかるＸ線ＣＴ装置１は、被検体を載置しつつガントリ２０内部へ被検体を搬入・搬出するための寝台装置１０、被検体の体内情報を収集するガントリ２０、画像の再構成や寝台装置１０・ガントリ２０その他の制御を行うコンソール３０を備えて構成される。以下、Ｘ線ＣＴ装置１の各部の構成について説明する。
【００３１】
寝台装置１０は、床面に固定された基台１１、基台１１上に設けられ、操作者の操作に応じてガントリ２０内部の軸方向に伸延する天板１２および図示しない天板１２の駆動部を備えて構成されている。
【００３２】
ガントリ２０は、略中央に円筒状の撮影領域を有する。当該撮影領域は床面と平行な長さ方向を有し、ガントリ２０を貫通して形成されている。当該ガントリ２０の撮影領域には、寝台装置１０の天板１２により搬送された被検体が収容される。
【００３３】
また、ガントリ２０は高電圧発生装置を備える。高電圧発生装置は、Ｘ線管に印加する高電圧を発生する。また、ガントリ２０は撮影領域の軸方向と直交するように、かつ撮影領域を挟んで略対向する位置にＸ線管、扇形状に配列されたＸ線検出器を備えている。このＸ線管とＸ線検出器が一体となり、ガントリ２０に設けられた回転駆動機構によって、撮影領域の中心軸を回転中心軸として撮影領域内の被検体の周囲を回転し、一定の角度・間隔で投影データを収集する（Ｒｏｔａｔｅ／Ｒｏｔａｔｅ方式）。
【００３４】
すなわち、Ｘ線管は、Ｘ線検出器と対向関係を保ったまま一体となって回転するとともに、高電圧発生装置によって発生した高電圧を基にＸ線を発生する。Ｘ線検出器はＸ線管から発生し、被検体を透過したＸ線を検出する。なお、本発明にかかるＸ線ＣＴ装置におけるガントリのＸ線管とＸ線検出器は、この実施形態に限られず、例えば、撮影領域の周囲３６０°にわたってＸ線検出器が配列され、Ｘ線管のみが回転するＳｔａｔｉｏｎａｒｙ／Ｒｏｔａｔｅ方式でもよい。また、Ｘ線検出器およびＸ線管のいずれも撮影領域の周囲３６０°にわたって配置されるＳｔａｔｉｏｎａｒｙ／Ｓｔａｔｉｏｎａｒｙ方式で
もよい。
【００３５】
Ｘ線検出器によって検出されたＸ線透過データは、データ収集装置（ＤＡＳ：Ｄａｔａ  Ａｃｑｕｉｓｉｔｉｏｎ  Ｓｙｓｔｅｍ）に送信され、データ収集装置は各Ｘ線検出器からの出力電流を増幅した後、デジタルデータに変換して投影データを収集し、コンソール３０へ出力する。
【００３６】
コンソール３０の前処理部は、再構成処理の前処理として、ガントリ２０のデータ収集装置から送信された投影データの補正等を行う。前処理部によって前処理が行われた投影データは、再構成処理が行われる。コンソール３０によって前処理、再構成処理が行われると、次いで画像処理がなされる。画像処理がなされた断層画像データは例えば、表示部４０に表示され、また、記憶装置に記憶される。
【００３７】
（コンソールの構成）
次に、この発明の実施形態にかかるＸ線ＣＴ装置のコンソールの構成について、図２〜５を参照して説明する。図２は、この発明の実施形態にかかるＸ線ＣＴ装置のコンソールを示す概略斜視図である。図３は、この発明の実施形態にかかるコンソールの基板シャーシを示す概略断面図である。図４は、この発明の実施形態にかかるコンソールの基板シャーシを示す概略上面図である。図５は、この発明の実施形態にかかるコンソールの基板シャーシ引き出し口を示す概略斜視図である。
【００３８】
図２に示すように、本実施形態にかかるＸ線ＣＴ装置１のコンソール３０は、複数の棚を備えている。このコンソール３０の上段の棚には、Ｘ線ＣＴ装置１における各機器の制御や数値計算、情報処理を行うＣＰＵ（Ｃｅｎｔｒａｌ  Ｐｒｏｃｅｓｓｉｎｇ  Ｕｎｉｔ）等のマイクロプロセッサが備えられている。また、同じくコンソール３０の上段には、生成した断層画像やその他の情報が記憶されるＨＤＤ（Ｈａｒｄ  Ｄｉｓｋ  Ｄｒｉｖｅ）等の記憶手段が備えられている。
【００３９】
また、図２に示すようにコンソール３０の下段の棚には、再構成基板３３を備えた基板シャーシ３１（本発明の「枠体」の一例に該当する。）や、当該基板シャーシ３１が載置され、コンソール３０から引き出し可能なトレイ３２が備えられている。なお、このトレイ３２の詳細については後述する。
【００４０】
基板シャーシ３１は、図２のようにトレイ３２を底部とする矩形体に構成されている。また基板シャーシ３１は図３に示すように、トレイ３２の引き出し方向の反対方向側となる面（以下、「背面」という。）において複数の排気孔および基板冷却用ファン３４を備えている。また、この基板シャーシ３１の背面の反対側の面（以下、「前面」という。）には、複数の吸気孔が設けられている。
【００４１】
基板シャーシ３１の背面の排気孔および基板冷却用ファン３４により基板シャーシ３１内部の排気が行われ、前面の吸気孔から基板シャーシ３１内部へ吸気が行われる。つまり、吸気孔と排気孔および基板冷却用ファン３４によって、基板シャーシ３１内部の空気の吸気および排気を行う。これによって再構成基板３３等による基板シャーシ３１内部の温度上昇を防止する。
【００４２】
また、図４に示すように基板シャーシ３１は、床面側の面（以下、「底面」という。）において、再構成基板３３が接続される略平板状のバックプレーン基板３５を備えている。このバックプレーン基板３５は、図４に示すように基板シャーシ３１の内部側の面において再構成基板３３の一端を嵌合させて電気的な接続をするためのコネクタ３５ａを複数備えている。図４に示すようにこのコネクタ３５ａは、バックプレーン基板３５において一定の間隔で複数配列されている。なお図４は、図３の基板シャーシ３１を上方から見た図であり、基板シャーシ３１の底面に設けられたバックプレーン基板３５のコネクタ３５ａに再構成基板３３が装着された状態を示している。また、バックプレーン基板３５の左端のコネクタ３５ａにのみ再構成基板３３が取り付けられていない状態を示している。
【００４３】
また、図４に示すように基板シャーシ３１は、上面が開口している。したがって図３に示すようにこの基板シャーシ３１の上面からユーザは再構成基板３３の脱着をすることができ、再構成基板３３やバックプレーン基板３５のメンテナンスを行うことが可能である。したがって、再構成基板３３の脱着などのメンテナンス作業の煩雑さを解消させることが可能となる。
【００４４】
すなわち従来のように、基板シャーシの前面から再構成基板を脱着させる構成の場合、コンソールにおける基板シャーシが通常低い位置にあることから、ユーザは姿勢を低くして作業を行わなければならない。この点、本実施形態の基板シャーシ３１であれば、ユーザが姿勢を低くしなくとも再構成基板３３を脱着させることが可能となる。これによりメンテナンス作業が簡便となって作業効率の向上に寄与する。
【００４５】
また、コンソール３０は、下段における基板シャーシ３１、トレイ３２、再構成基板３３等の再構成系の機器および上段の制御系の機器についてのＥＭＣ（Ｅｌｅｃｔｒｏ−Ｍａｇｎｅｔｉｃ  Ｃｏｍｐａｔｉｂｉｌｉｔｙ／電磁環境適合性）対策として、コンソール３０の全ての面においてガスケット（Ｇａｓｋｅｔ）が形成されている。このガスケットによって電磁干渉（ＥＭＩ：Ｅｌｅｃｔｒｏ  Ｍａｇｎｅｔｉｃ  Ｉｎｔｅｒｆｅｒｅｎｃｅ）を防止している。なお、ガスケットに限られず、フレキシールド、電磁吸収体等を用いてもよい。
【００４６】
また、図５におけるコンソール３０の下段には、トレイ３２に載置された基板シャーシ３１を引き出し可能とするため、引出口３０ａが形成されている。この引出口３０ａの下端、つまり、コンソール３０の底面パネルにおける、トレイ３２の引き出し方向における先端部は、後述するトレイ３２のキャスタ３２ａを収納する切欠部３０ｂが設けられている。この切欠部３０ｂは、コンソール３０の底面パネルの先端部を、コンソール３０の両側面より内側へ位置するように切欠いて形成される。また、この切欠部３０ｂは、少なくとも当該キャスタ３２ａの水平方向における長さおよび幅の分だけ、コンソール３０の内側に位置するように形成される。
【００４７】
このようにコンソール３０の底面に切欠部３０ｂを設けることにより、トレイ３２の先端にキャスタ３２ａを設けても、キャスタ３２ａの収納時においてキャスタ３２ａがコンソール３０から突出せず、キャスタ３２ａがユーザの障害となる事態を防止することができる。
【００４８】
また、図２に示すようにコンソール３０の前面・背面と直交する左右両側面の内側には、固定スライドレール３６ａが固定されて設けられている。またこの固定スライドレール３６ａは、トレイ３２の引き出し方向に長さ方向を有し、コンソール３０の左右両側面の内側下端に固定されている。
【００４９】
他方、可動スライドレール３６ｂは後述するトレイ３２の外側の左右両側面において、長さ方向が引き出し方向となるように設けられる。この可動スライドレール３６ｂは摺動部を備えており、固定スライドレール３６ａと係合する。つまり、可動スライドレール３６ｂの摺動部が固定スライドレール３６ａ内を摺動することにより、可動スライドレール３６ｂは固定スライドレール３６ａの長さ方向にガイドされつつ往復移動可能となる。このように固定スライドレール３６ａに対し、可動スライドレール３６ｂがガイドされつつ往復移動すると、可動スライドレール３６ｂを備えるトレイ３２も同じ方向へ移動する。したがって、ユーザはトレイ３２をコンソール３０から円滑に引き出すことができ、また、収納することができる。
【００５０】
（トレイの構成）
次に、この発明の実施形態にかかるＸ線ＣＴ装置のコンソールのトレイの構成について、図２、図３、図６および図７を参照して説明する。図６は、この発明の実施形態にかかるコンソールの基板シャーシを載置するトレイを示す概略斜視図である。図７は、この発明の実施形態にかかるコンソールの基板シャーシを載置するトレイを示す概略断面図である。
【００５１】
図２に示すように、略平板状のトレイ３２の上面には、コンソール３０下段に配置される基板シャーシ３１をコンソール３０から引出し可能とするために、基板シャーシ３１が載置される。また、図６および図７に示すように、トレイ３２の底面には、トレイ３２の引き出し方向の前端において床面に向かって突出する突出部３２ｂが形成されている。さらに突出部３２ｂの突出した先端には、床面と接地するように形成されたキャスタ３２ａが設けられている。このキャスタ３２ａは、図６に示すように突出部３２ｂの両側端に設けられている。
【００５２】
このキャスタ３２ａは、基板シャーシ３１を載置したトレイ３２がコンソール３０から引き出された際に、トレイ３２の引き出し方向における前端を支持する。したがって、基板シャーシ３１が再構成基板３３を多数載積して重量物となっている場合であっても、コンソールからトレイ３２を引き出した際にキャスタ３２ａがトレイ３２の前端部を支持しているので、コンソール３０の重心が引き出し方向へ傾倒することを防止することができる。すなわち、ユーザによって基板シャーシ３１がコンソール３０から引き出されることによって、コンソール３０が前下方にバランスを崩して転倒する事態を防止することが可能となる。
【００５３】
また、図７に示すようにトレイ３２は、内部に変圧器および電源基板３２ｃを備えている。この電源基板３２ｃは整流回路を含む電源回路を備えている。この電源回路は、トレイ３２の電源基板３２ｃに実装される。また、変圧器によって変換された商用電源を整流して、各種の直流電源に変換する。さらに当該回路はこれらの直流電源をバックプレーン基板３５に供給する。
【００５４】
電源基板３２ｃとバックプレーン基板３５とは、図７に示すようにトレイ３２の背面側に形成された連結部３２ｄとバックプレーン基板３５とがケーブル（不図示）によって接続されていることにより電気的な接続がなされている。また、トレイ３２の連結部３２ｄと電源基板３２ｃはトレイ３２内部において接続されている。また、バックプレーン基板３５は当該ケーブルから供給された電力を、バックプレーン基板３５に形成された電源の配線パターンによりコネクタ３５ａ（図４参照）に供給する。そのコネクタ３５ａを介して再構成基板３３に電力が供給される。
【００５５】
また、この連結部３２ｄとバックプレーン基板３５とを接続するケーブルは再構成基板３３の数に応じて複数本設けられる。
【００５６】
また図示しないが、本実施形態におけるコンソール３０においては外部の電源と接続される電源ケーブルを備えている。この電源ケーブルは外部の電源から伸延し、コンソール３０の背面下方からコンソール３０の内部に入る。さらにコンソール３０の背面を通し、コンソール３０の上面、前面を経由して、コンソール３０の前面下方に到達される。コンソール３０の前面下方に至る電源ケーブルは、トレイ３２の引き出し方向における前端部に接続される。この電源ケーブルとしては、ＥＭＣ対策がされたケーブルが用いられるので、制御系の機器に対する電磁干渉が防止される。
【００５７】
以上説明した本実施形態におけるトレイ３２は、電源基板３２ｃを内部に備えている。また、バックプレーン基板３５のコネクタ３５ａには、再構成基板３３が接続される。また、バックプレーン基板３５は、トレイ３２上に載置され、トレイ３２内部の電源基板３２ｃとケーブルを介して接続されている。したがって、基板シャーシを引き出すことによって、再構成基板と電源とが離隔してしまう構成と比較して、離隔しない分、ケーブルの長さを余分に取る必要がなく、再構成基板３３と電源との距離を大幅に短縮することが可能となる。
【００５８】
したがって、再構成基板３３と電源基板３２ｃとを接続するケーブルの長さも大幅に短縮することが可能となる。すなわち、ケーブルが短縮されることにより、ノイズの発生を減少させることができる。またケーブルの長さが短いので、再構成基板３３と電源基板３２ｃとを接続するケーブルが多数となっても、またノイズ対策によりケーブルの径が大きくなってしまっても、引き回しの煩雑さや、配置スペースの問題が生じにくいという利点を有する。
【００５９】
また、コンソール３０の外部からトレイ３２に電源を供給するための電源ケーブルは、コンソール３０の周囲を伝ってトレイ３２まで伸延する。したがって、基板シャーシの背面から電源を供給する構成と比較して、電源ケーブルの引き回しの煩雑さを防止できるという利点がある。
【００６０】
また、トレイ３２側面の可動スライドレール３６ｂはコンソール３０に固定された上述の固定スライドレール３６ａに係合する。また、可動スライドレール３６ｂは摺動部を介し、固定スライドレール３６ａに係合しつつ当該固定スライドレール３６ａに対して往復移動する。これにより、可動スライドレール３６ｂは固定スライドレール３６ａにガイドされて、コンソール３０の背面方向から前面方向へガイドされて移動する。つまり、トレイ３２は、コンソール３０に対し、固定スライドレール３６ａおよび可動スライドレール３６ｂにガイドされつつ引き出し可能とされる。
【００６１】
またコンソール３０は、ほぼ全面にわたりガスケットが形成されているが、引出口３０ａが開口しているため、さらにトレイ３２の前端における突出部３２ｂの当該面と、コンソール３０の底面における切欠部３０ｂの前面との接触部分にガスケット（本発明における「柔軟性のある電磁波遮蔽部材」の一例に該当する）を形成する（図７参照）。これによってコンソール３０の引出口３０ａにおいてもＥＭＣ対策がなされる。なお、コンソール３０の前面と基板シャーシ３１との接触面にガスケットを設ける構成であってもよい。
【００６２】
（メンテナンス方法）
以上のような本実施形態のＸ線ＣＴ装置１におけるメンテナンス作業について、図３および図４を用いて概略を説明する。
【００６３】
まずユーザは、トレイ３２、再構成基板３３やバックプレーン基板３５のメンテナンスを行うために、コンソール３０の引出口３０ａから、基板シャーシ３１ごとトレイ３２を引き出す（図２参照）。本実施形態におけるコンソール３０においては、引き出されても再構成基板３３と電源基板３２ｃとが離隔しない。
【００６４】
例えばユーザが再構成基板３３のメンテナンスを行うときには、ユーザはトレイ３２に支持された基板シャーシ３１を引き出し、図３に示すように基板シャーシ３１およびバックプレーン基板３５から再構成基板３３を取り外す。図３においては、左端の再構成基板３３が取り外されている。
【００６５】
ユーザは再構成基板３３等のメンテナンスが完了した場合は、例えば基板シャーシ３１およびバックプレーン基板３５に再構成基板３３を取り付ける。ユーザは、再構成基板３３を取り付けると、トレイ３２をコンソール３０内に押し込み、基板シャーシ３１を収納する。トレイ３２がコンソール３０の内部に完全に収納されたとき、トレイ３２の突出部３２ｂの背面とコンソール底面の先端がガスケットを介して接触する。
【００６６】
なお、上記説明したＸ線ＣＴ装置のコンソールにおける電源基板を内蔵したトレイは、他の医用画像診断装置に適用することが可能である。
【００６７】
（作用効果）
以上説明した本実施形態にかかるＸ線ＣＴ装置および医用画像診断装置用コンソールの作用および効果について説明する。
【００６８】
本発明の実施形態にかかるＸ線ＣＴ装置１のコンソール３０は、再構成基板３３を収容する基板シャーシ３１の底面にバックプレーン基板３５を備え、底面にキャスタ３２ａを備えたトレイ３２上に載置される。また、当該トレイ３２の内部には電源基板３２ｃが形成されている。
【００６９】
したがって、トレイ３２をコンソール３０から引き出しても、バックプレーン基板３５と電源基板３２ｃとが離隔しないので、バックプレーン基板３５と電源基板３２ｃとを接続するケーブルの長さを大幅に短縮することが可能となる。すなわち、当該ケーブルからのノイズ発生を低減し、またノイズを受けることを抑制することが可能となる。また、ケーブルが長くならないのでケーブルの引き回しが容易となる。また、ケーブルの引き回しが容易なのでＥＭＣ対策が容易となる。
【００７０】
また、バックプレーン基板３５が基板シャーシ３１の底面に配置されるので、コンソール３０において基板シャーシ３１が低い位置に配置されていても、基板シャーシ３１の上面から再構成基板３３を収容することができ、メンテナンス作業が煩雑とならない。
【００７１】
また、基板シャーシ３１の換気のために、吸気を基板シャーシ３１の前面の吸気孔から行い、排気を背面の排気孔および基板冷却用ファン３４によって行うので、換気の効率がよく、基板シャーシ３１の換気を効率よく行うことができる。
【００７２】
また、コンソール３０は全面にわたりガスケットが形成されている。さらに引出口３０ａが開口しているが、コンソール３０の底面における切欠部３０ｂの前面と、トレイ３２の前端における突出部３２ｂの背側面との接触部分にガスケットを形成し（図７参照）引出口３０ａにおいてもＥＭＣ対策がなされ、より確実なＥＭＣ対策がなされている。
【００７３】
また、コンソール３０の底面に切欠部３０ｂを設けることにより、トレイ３２の先端にキャスタ３２ａを設けても、キャスタ３２ａの収納時においてキャスタ３２ａがコンソール３０から突出しない。つまりキャスタ３２ａがユーザの足部に接触する等の障害となる事態を防止することができる。
【図面の簡単な説明】
【００７４】
【図１】この発明の実施形態にかかるＸ線ＣＴ装置の概略構成を示す外観図。
【図２】この発明の実施形態にかかるＸ線ＣＴ装置のコンソールを示す概略斜視図。
【図３】この発明の実施形態にかかるコンソールの基板シャーシを示す概略断面図。
【図４】この発明の実施形態にかかるコンソールの基板シャーシを示す概略上面図。
【図５】この発明の実施形態にかかるコンソールの基板シャーシ引き出し口を示す概略斜視図。
【図６】この発明の実施形態にかかるコンソールの基板シャーシを載置するトレイを示す概略斜視図。
【図７】この発明の実施形態にかかるコンソールの基板シャーシを載置するトレイを示す概略断面図。
【図８】従来のコンソールキャビネットを示す概略斜視図。
【図９】従来のコンソールキャビネットを示す概略側面図。
【符号の説明】
【００７５】
１  Ｘ線ＣＴ装置
１０  寝台装置
１１  基台
１２  天板
２０  ガントリ
３０  コンソール
３０ａ  引出口
３０ｂ  切欠部
３１  基板シャーシ
３２  トレイ
３２ａ  キャスタ
３２ｂ  突出部
３２ｃ  電源基板
３２ｄ  連結部
３３  再構成基板
３４  基板冷却用ファン
３５  バックプレーン基板
３５ａ  コネクタ
３６ａ  固定スライドレール
３６ｂ  可動スライドレール
４０  表示部
【図１】
2010051449.tif 000003
【図２】
2010051449.tif 000004
【図３】
2010051449.tif 000005
【図４】
2010051449.tif 000006
【図７】
2010051449.tif 000007
【図８】
2010051449.tif 000008
【図９】
2010051449.tif 000009
【図５】
2010051449.tif 000010
【図６】
2010051449.tif 000011